(57)【要約】【課題】  勤務形態が変更になっても作業者の勤怠管理を低コストで実現でき、作業者以外の者による不正ななりすましを防止できる勤怠管理システムを提供する。【解決手段】  勤怠管理サーバ１が、作業者ＩＤと作業者の勤務形態の情報を基にＱＲコード画像を生成し、従業者の携帯電話機５にＱＲコード画像のデータを送信しておき、読み取り装置４が、作業者の出退勤時に携帯電話機の表示画面に表示させたＱＲコード画像を読み取り、管理ＰＣ３が、読み取ったＱＲコードから勤怠関連の情報及び読み取り時刻を取得して勤怠管理サーバ１に送信し、勤怠管理サーバ１が、作業者ＩＤ及び勤務形態の情報毎に読み取り時刻を記憶する勤怠管理システムである。【選択図】        図１
2007293834.tif 000002
【特許請求の範囲】
【請求項１】
作業者の識別子と当該作業者の勤務形態の情報を記憶する記憶部と、当該作業者の識別子と当該勤務形態の情報を基にＱＲコード画像を生成し、当該作業者の出勤前に作業者の携帯電話機にＱＲコード画像のデータを提供する制御部とを備える勤怠管理サーバと、
作業者の出退勤時に前記作業者の携帯電話機の表示画面に表示させた前記ＱＲコード画像を読み取る読み取り装置と、
読み取ったＱＲコードから作業者の識別子と作業者の勤務形態の情報を取得し、前記勤怠管理サーバに送信する管理コンピュータとを有し、
前記勤怠管理サーバの制御部は、前記記憶部に記憶する作業者の識別子及び作業者の勤務形態の情報と、前記管理コンピュータから受信した作業者の識別子及び作業者の勤務形態の情報とを比較し、一致する場合に、作業者の識別子及び作業者の勤務形態の情報毎に時刻を記憶することを特徴とする勤怠管理システム。
【請求項２】
作業者の識別子と当該作業者の勤務形態の情報を記憶する記憶部と、当該作業者の識別子と当該勤務形態の情報を基にＱＲコード画像を生成し、当該作業者の出勤前に作業者の携帯電話機にＱＲコード画像のデータを提供する制御部とを備える勤怠管理サーバと、
作業者の出退勤時に前記作業者の携帯電話機の表示画面に表示させた前記ＱＲコード画像を読み取り、読み取ったＱＲコードから作業者の識別子と作業者の勤務形態の情報を取得し、前記勤怠管理サーバに送信する管理者の携帯電話機とを有し、
前記勤怠管理サーバの制御部は、前記記憶部に記憶する作業者の識別子及び作業者の勤務形態の情報と、前記管理者の携帯電話機から受信した作業者の識別子及び作業者の勤務形態の情報とを比較し、一致する場合に、作業者の識別子及び作業者の勤務形態の情報毎に時刻を記憶することを特徴とする勤怠管理システム。
【請求項３】
勤怠管理サーバの制御部は、作業者の勤務形態に変更があると、当該作業者の識別子と変更になった勤務形態の情報を基にＱＲコード画像を生成し、当該作業者の出勤前に作業者の携帯電話機にＱＲコード画像のデータを提供することを特徴とする請求項１又は２記載の勤怠管理システム。
【請求項４】
勤怠管理サーバの制御部は、記憶部に記憶する作業者の識別子及び作業者の勤務形態の情報と、管理コンピュータ又は管理者の携帯電話機から受信した作業者の識別子及び作業者の勤務形態の情報とを比較し、一致しない場合に、作業者の携帯電話機にＱＲコード画像の再度の読み取りを促す通知を行うことを特徴とする請求項１乃至３のいずれか記載の勤怠管理システム。
【請求項５】
勤怠管理サーバの記憶部には、作業者の識別子に対応してＱＲコード画像の提供の有無を記憶しており、勤怠管理サーバの制御部は、作業者の携帯電話機からＱＲコード画像の提供要求を受け付けると、当該作業者の識別子に対応するＱＲコード画像の提供の有無を参照し、提供無しであれば前記作業者の携帯電話機へのＱＲコード画像の提供を行い、提供有りであれば前記作業者の携帯電話機へのＱＲコード画像の提供を行わないことを特徴とする請求項１乃至４のいずれか記載の勤怠管理システム。
【請求項６】
勤怠管理サーバの記憶部には、作業者の勤務形態及び勤務状況を記憶しており、勤怠管理サーバの制御部は、ＱＲコード画像を提供する際に、作業者の勤務形態及び勤務状況が閲覧可能な作業者固有のアクセス先の情報をも提供することを特徴とする請求項１乃至５のいずれか記載の勤怠管理システム。
【請求項７】
勤怠管理サーバが、作業者の識別子と作業者の勤務形態の情報を基にＱＲコード画像を生成し、作業者の携帯電話機にＱＲコード画像のデータを送信しておき、読み取り装置又は管理者の携帯電話機が、作業者の出退勤時に前記作業者の携帯電話機の表示画面に表示させた前記ＱＲコード画像を読み取り、読み取ったＱＲコードから勤怠関連の情報及び読み取り時刻を取得して、作業者の識別子及び勤務形態の情報毎に前記時刻を記憶することを特徴とする勤怠管理方法。
【請求項８】
勤怠管理サーバが、作業者の識別子と作業者の勤務形態の情報を基にＱＲコード画像を生成し、作業者の携帯電話機からのアクセスによりＱＲコード画像のデータを前記携帯電話機にダウンロードし、読み取り装置又は管理者の携帯電話機が、作業者の出退勤時に前記作業者の携帯電話機の表示画面に表示させた前記ＱＲコード画像を読み取り、読み取ったＱＲコードから勤怠関連の情報及び読み取り時刻を取得して、作業者の識別子及び勤務形態の情報毎に前記時刻を記憶することを特徴とする勤怠管理方法。
【発明の詳細な説明】
【技術分野】
【０００１】
本発明は、二次元コード（ＱＲ［Quick Response］コード）を利用した勤怠管理システムに係り、特に、電子メールで従業員各自の携帯電話機に勤怠に関連するＱＲコードの画像データを送信し、当該ＱＲコードを携帯電話機の画面に表示させて、コード読み取り装置で読み取らせて、従業員の勤怠を管理する勤怠管理システムに関する。
【背景技術】
【０００２】
従来の勤怠を管理する方法として、原始的にタイムカードを利用したものがある。
また、近年、コンピュータネットワークの発達に伴い、ネットワークに接続するコンピュータから出勤、退勤を入力する勤怠管理システムがある。
【０００３】
例えば、勤怠管理システムの先行技術として、特開平９−１１５０２１号公報がある（特許文献１）。
上記発明は、社員が出退社時等に社員証カードの社員コードをカードリーダに読み取らせ、社員コードに対応した出退社データ等を入力して端末のメモリに記憶し、一定時刻毎にそのデータを管理パソコンに送信してデータ集計を行うものである。
【０００４】
また、別の勤怠管理システムとして、特開２００２−２６９３０７号公報がある（特許文献２）。
この発明は、社員固有データを記憶する社員認証カードを社員認証型携帯電話機に差し込むと、それを読み取った携帯電話機からネットワークを介して制御器に社員の勤怠状況が通知され、管理されるものである。
【０００５】
尚、ＱＲコード関連の発明として、特開２００３−６５７０号公報がある（特許文献３）。
この発明は、携帯電話機にＱＲコードを記憶し、その画像を画面にスクロール表示し、それを１次元配列センサで撮像して読み取る非接触通信システムである。
【０００６】
【特許文献１】特開平９−１１５０２１号公報
【特許文献２】特開２００２−２６９３０７号公報
【特許文献３】特開２００３−６５７０号公報
【発明の開示】
【発明が解決しようとする課題】
【０００７】
原始的タイムカードであれば、会社の建物入り口に機械が設けられているため、出退勤時にタイムスタンプを押し忘れるということは少なく、かつ費用を安価にできるものであるが、タイムカードを回収した後の処理作業が大変であり、リアルタイムで勤怠を管理できないという問題点があった。
【０００８】
また、社員コード又は社員固有データを記憶する社員証カードを読み込む方法では、リアルタイムに勤怠管理が可能になるが、従業員、パート、アルバイトの勤務形態が変更になった場合に、十分に対応できないという問題点があった。
【０００９】
つまり、従業員等の勤務形態が日勤から夜勤に変更になった場合に、社員証カードを読み取った時間が出勤なのか退勤なのか判別できず、また、従業員等の配属、勤務場所が変更になった場合に、それらの場所に応じた勤怠形態に適用できないものとなっていた。
例えば、一週間の内、３日は日勤でＡ作業場で作業し、２日は夜勤でＢ作業場で作業する場合で、日が特定されておらず、任意に変更になる場合など、その作業者の勤怠データの処理が難しいものとなっていた。
【００１０】
また、社員コード又は社員固有データを社員証カードから読み込む従来システムでは、監督者のいない作業場所での作業者に対して社員証カードが他の従業員に貸与されると、勤怠管理に不正利用される可能性があり、なりすましを防止できないという問題点があった。
【００１１】
本発明は上記実情に鑑みて為されたものであり、勤務形態が変更になっても作業者の勤怠管理を低コストで実現でき、作業者以外の者による不正ななりすましを防止できる勤怠管理システムを提供することを目的とする。
【課題を解決するための手段】
【００１２】
上記従来例の問題点を解決するための本発明は、勤怠管理システムにおいて、作業者の識別子と当該作業者の勤務形態の情報を記憶する記憶部と、当該作業者の識別子と当該勤務形態の情報を基にＱＲコード画像を生成し、当該作業者の出勤前に作業者の携帯電話機にＱＲコード画像のデータを提供する制御部とを備える勤怠管理サーバと、作業者の出退勤時に作業者の携帯電話機の表示画面に表示させたＱＲコード画像を読み取る読み取り装置と、読み取ったＱＲコードから作業者の識別子と作業者の勤務形態の情報を取得し、勤怠管理サーバに送信する管理コンピュータとを有し、勤怠管理サーバの制御部は、記憶部に記憶する作業者の識別子及び作業者の勤務形態の情報と、管理コンピュータから受信した作業者の識別子及び作業者の勤務形態の情報とを比較し、一致する場合に、作業者の識別子及び作業者の勤務形態の情報毎に時刻を記憶するサーバであることを特徴とする。
【００１３】
本発明は、勤怠管理システムにおいて、作業者の識別子と当該作業者の勤務形態の情報を記憶する記憶部と、当該作業者の識別子と当該勤務形態の情報を基にＱＲコード画像を生成し、当該作業者の出勤前に作業者の携帯電話機にＱＲコード画像のデータを提供する制御部とを備える勤怠管理サーバと、作業者の出退勤時に作業者の携帯電話機の表示画面に表示させたＱＲコード画像を読み取り、読み取ったＱＲコードから作業者の識別子と作業者の勤務形態の情報を取得し、勤怠管理サーバに送信する管理者の携帯電話機とを有し、勤怠管理サーバの制御部は、記憶部に記憶する作業者の識別子及び作業者の勤務形態の情報と、管理者の携帯電話機から受信した作業者の識別子及び作業者の勤務形態の情報とを比較し、一致する場合に、作業者の識別子及び作業者の勤務形態の情報毎に時刻を記憶するサーバであることを特徴とする。
【００１４】
本発明は、上記勤怠管理システムにおいて、勤怠管理サーバの制御部が、作業者の勤務形態に変更があると、当該作業者の識別子と変更になった勤務形態の情報を基にＱＲコード画像を生成し、当該作業者の出勤前に作業者の携帯電話機にＱＲコード画像のデータを提供することを特徴とする。
【００１５】
本発明は、上記勤怠管理システムにおいて、勤怠管理サーバの制御部が、記憶部に記憶する作業者の識別子及び作業者の勤務形態の情報と、管理コンピュータ又は管理者の携帯電話機から受信した作業者の識別子及び作業者の勤務形態の情報とを比較し、一致しない場合に、作業者の携帯電話機にＱＲコード画像の再度の読み取りを促す通知を行うことを特徴とする。
【００１６】
本発明は、上記勤怠管理システムにおいて、勤怠管理サーバの記憶部には、作業者の識別子に対応してＱＲコード画像の提供の有無を記憶しており、勤怠管理サーバの制御部が、作業者の携帯電話機からＱＲコード画像の提供要求を受け付けると、当該作業者の識別子に対応するＱＲコード画像の提供の有無を参照し、提供無しであれば作業者の携帯電話機へのＱＲコード画像の提供を行い、提供有りであれば作業者の携帯電話機へのＱＲコード画像の提供を行わないことを特徴とする。
【００１７】
本発明は、上記勤怠管理システムにおいて、勤怠管理サーバの記憶部には、作業者の勤務形態及び勤務状況を記憶しており、勤怠管理サーバの制御部が、ＱＲコード画像を提供する際に、作業者の勤務形態及び勤務状況が閲覧可能な作業者固有のアクセス先の情報をも提供することを特徴とする。
【００１８】
本発明は、勤怠管理方法において、勤怠管理サーバが、作業者の識別子と作業者の勤務形態の情報を基にＱＲコード画像を生成し、作業者の携帯電話機にＱＲコード画像のデータを送信しておき、読み取り装置又は管理者の携帯電話機が、作業者の出退勤時に作業者の携帯電話機の表示画面に表示させたＱＲコード画像を読み取り、読み取ったＱＲコードから勤怠関連の情報及び読み取り時刻を取得して、作業者の識別子及び勤務形態の情報毎に読み取り時刻を記憶することを特徴とする。
【００１９】
本発明は、勤怠管理方法において、勤怠管理サーバが、作業者の識別子と作業者の勤務形態の情報を基にＱＲコード画像を生成し、作業者の携帯電話機からのアクセスによりＱＲコード画像のデータを携帯電話機にダウンロードし、読み取り装置又は管理者の携帯電話機が、作業者の出退勤時に作業者の携帯電話機の表示画面に表示させたＱＲコード画像を読み取り、読み取ったＱＲコードから勤怠関連の情報及び読み取り時刻を取得して、作業者の識別子及び勤務形態の情報毎に読み取り時刻を記憶することを特徴とする。
【発明の効果】
【００２０】
本発明によれば、作業者の識別子と当該作業者の勤務形態の情報を記憶する記憶部と、当該作業者の識別子と当該勤務形態の情報を基にＱＲコード画像を生成し、当該作業者の出勤前に作業者の携帯電話機にＱＲコード画像のデータを提供する制御部とを備える勤怠管理サーバと、作業者の出退勤時に作業者の携帯電話機の表示画面に表示させたＱＲコード画像を読み取る読み取り装置と、読み取ったＱＲコードから作業者の識別子と作業者の勤務形態の情報を取得し、勤怠管理サーバに送信する管理コンピュータとを有し、勤怠管理サーバの制御部は、記憶部に記憶する作業者の識別子及び作業者の勤務形態の情報と、管理コンピュータから受信した作業者の識別子及び作業者の勤務形態の情報とを比較し、一致する場合に、作業者の識別子及び作業者の勤務形態の情報毎に時刻を記憶する勤怠管理システムとしているので、作業者の勤怠管理を勤務形態に応じて容易に行うことができ、作業者以外の者による不正ななりすましを防止できる効果がある。
【００２１】
本発明によれば、作業者の識別子と当該作業者の勤務形態の情報を記憶する記憶部と、当該作業者の識別子と当該勤務形態の情報を基にＱＲコード画像を生成し、当該作業者の出勤前に作業者の携帯電話機にＱＲコード画像のデータを提供する制御部とを備える勤怠管理サーバと、作業者の出退勤時に作業者の携帯電話機の表示画面に表示させたＱＲコード画像を読み取り、読み取ったＱＲコードから作業者の識別子と作業者の勤務形態の情報を取得し、勤怠管理サーバに送信する管理者の携帯電話機とを有し、勤怠管理サーバの制御部は、記憶部に記憶する作業者の識別子及び作業者の勤務形態の情報と、管理者の携帯電話機から受信した作業者の識別子及び作業者の勤務形態の情報とを比較し、一致する場合に、作業者の識別子及び作業者の勤務形態の情報毎に時刻を記憶する勤怠管理システムとしているので、作業者の勤怠管理を勤務形態に応じて容易に行うことができ、作業者以外の者による不正ななりすましを防止できる効果がある。
【００２２】
本発明によれば、勤怠管理サーバの制御部が、作業者の勤務形態に変更があると、当該作業者の識別子と変更になった勤務形態の情報を基にＱＲコード画像を生成し、当該作業者の出勤前に作業者の携帯電話機にＱＲコード画像のデータを提供する上記勤怠管理システムとしているので、作業者の勤務形態が頻繁に変更になったとしても、作業者の勤怠管理を勤務形態に応じて容易に行うことができ、作業者以外の者による不正ななりすましを防止できる効果がある。
【００２３】
本発明によれば、勤怠管理サーバの制御部が、記憶部に記憶する作業者の識別子及び作業者の勤務形態の情報と、管理コンピュータ又は管理者の携帯電話機から受信した作業者の識別子及び作業者の勤務形態の情報とを比較し、一致しない場合に、作業者の携帯電話機にＱＲコード画像の再度の読み取りを促す通知を行う上記勤怠管理システムとしているので、作業者が古いＱＲコード画像を読み取らせたとしても、再度適正なＱＲコード画像で読み取りを行わせることができる効果がある。
【００２４】
本発明によれば、勤怠管理サーバの記憶部には、作業者の識別子に対応してＱＲコード画像の提供の有無を記憶しており、勤怠管理サーバの制御部が、作業者の携帯電話機からＱＲコード画像の提供要求を受け付けると、当該作業者の識別子に対応するＱＲコード画像の提供の有無を参照し、提供無しであれば作業者の携帯電話機へのＱＲコード画像の提供を行い、提供有りであれば作業者の携帯電話機へのＱＲコード画像の提供を行わない上記勤怠管理システムとしているので、一度適正に提供したＱＲコード画像の再提供を禁止でき、作業者以外の者による不正ななりすましを防止できる効果がある。
【００２５】
本発明によれば、勤怠管理サーバの記憶部には、作業者の勤務形態及び勤務状況を記憶しており、勤怠管理サーバの制御部が、ＱＲコード画像を提供する際に、作業者の勤務形態及び勤務状況が閲覧可能な作業者固有のアクセス先の情報をも提供する上記勤怠管理システムとしているので、一度適正に提供したＱＲコード画像の再提供を禁止でき、作業者以外の者による不正ななりすましを防止できる効果がある。
【００２６】
本発明によれば、勤怠管理サーバが、作業者の識別子と作業者の勤務形態の情報を基にＱＲコード画像を生成し、作業者の携帯電話機にＱＲコード画像のデータを送信しておき、読み取り装置又は管理者の携帯電話機が、作業者の出退勤時に作業者の携帯電話機の表示画面に表示させたＱＲコード画像を読み取り、読み取ったＱＲコードから勤怠関連の情報及び読み取り時刻を取得して、作業者の識別子及び勤務形態の情報毎に読み取り時刻を記憶する勤怠管理方法としているので、作業者の勤怠管理を勤務形態に応じて容易に行うことができ、作業者以外の者による不正ななりすましを防止できる効果がある。
【００２７】
本発明によれば、勤怠管理サーバが、作業者の識別子と作業者の勤務形態の情報を基にＱＲコード画像を生成し、作業者の携帯電話機からのアクセスによりＱＲコード画像のデータを携帯電話機にダウンロードし、読み取り装置又は管理者の携帯電話機が、作業者の出退勤時に作業者の携帯電話機の表示画面に表示させたＱＲコード画像を読み取り、読み取ったＱＲコードから勤怠関連の情報及び読み取り時刻を取得して、作業者の識別子及び勤務形態の情報毎に読み取り時刻を記憶する勤怠管理方法としているので、作業者の勤怠管理を勤務形態に応じて容易に行うことができ、作業者以外の者による不正ななりすましを防止できる効果がある。
【発明を実施するための最良の形態】
【００２８】
本発明の実施の形態について図面を参照しながら説明する。
［発明の概要］
本発明の実施の形態に係る勤怠管理システムは、勤怠管理サーバで、作業者の識別子とその勤務形態の情報を基にＱＲコード画像を生成し、作業者の携帯電話機にＱＲコード画像を送信しておき、作業者の出退勤時に当該ＱＲコード画像を読み取り装置に読み込んで、当該ＱＲコードから勤怠関連の情報を取得して、作業者の識別子と勤務形態の情報で作業者の勤怠を管理するようにしているので、作業者の勤務形態が不規則に変化するものであっても、柔軟に対応できるものである。
【００２９】
尚、ＱＲコード画像は、勤怠管理サーバから送信してもよいが、携帯電話機から作業者固有の勤怠管理サイトにアクセスしてダウンロードするようにしてもよい。
【００３０】
また、勤怠管理サーバで、作業者の現在の勤務形態を記憶しておき、読み取り装置で読み取られたＱＲコードから取得した勤務形態と一致していなければ、再度読み取り作業を行うよう促すようにしているので、ＱＲコードの読み取り誤りを訂正できる。
【００３１】
携帯電話機は、ＱＲコード画像の転送を禁止する機能を備えている。
勤怠管理サーバは、ＱＲコード画像の送信又はダウンロードを管理しており、特定の条件（例えば、再度読み取り作業を促す場合）を除いて、２度目の送信又はダウンロードを禁止しているので、他の作業員によるなりすましを防止できる。
【００３２】
［勤怠管理システムの構成］
本発明の実施の形態に係る勤怠管理システム（本システム）の構成について図１を参照しながら説明する。図１は、本発明の実施の形態に係る勤怠管理システムの構成ブロック図である。
本システムは、図１に示すように、勤怠管理サーバ１と、インターネット２と、管理コンピュータ（管理ＰＣ）３と、読み取り装置４と、携帯電話機５と、基地局６とを基本的に備えている。
尚、インターネット２とそれに接続する基地局６は、既存の通信事業者の設備を利用するものである。
図１では、説明を簡単にするために、構成を簡略化しているが、従業員等の作業者の数に相当する携帯電話機５と、作業所の数に相当する管理ＰＣ３が実際に存在するものである。
【００３３】
［勤怠管理システムの各部］
本システムの各部を具体的に説明する。
［勤怠管理サーバ］
勤怠管理サーバ１は、一つ又は複数の事業者の勤怠を管理するためのサーバであり、従業員、パート、アルバイト等が所有する携帯電話機若しくはＰＨＳ（Personal Handy-phone System）端末にＱＲコード等の画像データを送信すると共に、管理ＰＣ３から送信された従業員等の勤怠関連データを受信してデータ処理を行うものである。
【００３４】
勤怠管理サーバ１は、ＱＲコード画像を携帯電話機５からのアクセスによりダウンロード可能としてもよい。この場合、電子メールで携帯電話機５にアクセス先（利用者固有のＵＲＬ（Uniform Resource Locator）にリンク）を通知し、当該ＵＲＬにアクセスしてＱＲコード画像をダウンロードするものである。
【００３５】
勤怠管理サーバ１は、インターネット２に接続する時間管理サーバ（図示せず）から定期的に時刻を取得し、当該時刻を基にサーバ内の時刻を調整するようになっている。
尚、管理ＰＣ３で送信されら情報の送信時刻と、勤怠管理サーバ１で当該情報を受信した時刻が許容範囲を超えている場合には、勤怠管理サーバ１での受信時刻を優先的に採用する。作業者が管理ＰＣ３の時刻を意図的に変更しても、当該不正は防止できる。
【００３６】
複数の事業者の勤怠を管理する勤怠管理サーバ１とは、勤怠管理をＡＳＰ（Application Service Provider）として提供するものである。
勤怠管理サーバ１の構成及び処理動作は、後述する。
【００３７】
［管理ＰＣ］
管理ＰＣ３は、インターネット２を介して勤怠管理サーバ１に接続し、ＵＳＢ等の接続コネクタにより読み取り装置４を接続する。
また、管理ＰＣ３は、ＱＲコードを読み込む読み取り装置４から入力される情報を勤怠管理サーバ１にインターネット２を介して送信する。
また、管理ＰＣ３は、インターネット２に接続する時間管理サーバ（図示せず）から定期的に時刻を取得し、当該時刻を基にサーバ内の時刻を調整するようになっている。
管理ＰＣ３の構成及び処理動作は、後述する。
【００３８】
［読み取り装置］
読み取り装置４は、携帯電話機５の表示画面に表示されたＱＲコードの画像を非接触で読み取り、読み取ったＱＲコードの画像からＱＲコードに含まれる情報を取得し、管理ＰＣ３に出力する。
この読み取り装置は、既に市販されているＱＲコード読み取り装置を利用するか、若しくは、光学センサ、デジタルカメラを用いて装置を製造してもよい。
【００３９】
［携帯電話機］
携帯電話機５は、勤怠管理サーバ１からインターネット２，基地局６を介して送信された電子メールを受信し、添付されたＱＲコードの画像データ等を、利用者（作業者又は従業員等）の操作によって表示画面に表示させる。表示画面に表示されるのは、主にＱＲコード画像と利用者専用のアクセス先（利用者専用のＵＲＬにリンクするアクセス先）である。
【００４０】
また、電子メールにはＱＲコードの画像データを添付せず、アクセス先を通知し、当該アクセス先に携帯電話機５がアクセスしてＱＲコードの画像データをダウンロードするようにしてもよい。更に、携帯電話機５に電子メールを送信せず、携帯電話機５が入社・退社の前に自主的にアクセス先にアクセスしてＱＲコードの画像データをダウンロードするようにしてもよい。
【００４１】
また、携帯電話機５は、受信又はダウンロードしたＱＲコードの画像データを表示は可能であるものの、内部の記憶部への記憶が禁止され、若しくは記憶までは可能であるが、記憶されたＱＲコードの画像データの転送を不可とするものである。
【００４２】
そして、利用者は、携帯電話機５の表示画面に表示されたＱＲコードの画像を読み取り装置４に読み込ませる。
【００４３】
［勤怠管理サーバ／管理ＰＣ］
次に、勤怠管理サーバ１及び管理ＰＣ３の具体的内部構成について図２を参照しながら説明する。図２は、勤怠管理サーバ及び管理ＰＣの具体的内部構成ブロック図である。
勤怠管理サーバ及び管理ＰＣは、図２に示すように、制御部１１と、メインメモリ１２と、記憶部１３と、インタフェース部１４とを基本的に備えている。
【００４４】
制御部１１は、全体の処理制御を行う。特に、制御部１１は、記憶部１３に記憶された処理プログラムをメインメモリ１２に展開して実行可能とする。
メインメモリ１２は、一時的にデータ及びプログラムを記憶する。
記憶部１３は、ハードディスク等が用いられており、必要なデータ、処理プログラム等を記憶している。
インタフェース部１４は、ネットワークに接続するインタフェースと、管理ＰＣ３であれば、読み取り装置４に接続するインタフェースと、場合によっては表示装置に接続するインタフェースとを備える。
【００４５】
［本システムでの処理］
次に、本システムにおける処理について説明する。
本システムの処理として、第1に、勤怠管理サーバ１での従業員等に向けてのＱＲコード画像送信処理があり、第２に、管理ＰＣ３におけるＱＲコード読み取り送信処理があり、第３に、勤怠管理サーバ１における勤怠データ受信・記憶処理があり、第４に、勤怠管理サーバ１における再ダウンロード禁止処理がある。
【００４６】
［ＱＲコード画像送信処理］
本システムにおける勤怠管理サーバ１での従業員等に向けてのＱＲコード画像送信処理について図３を参照しながら説明する。図３は、本システムのＱＲコード画像送信処理のフローチャートである。
勤怠管理サーバ１において、勤怠の管理者が作業者の勤務形態を変更した場合、当該作業者の識別子（作業者ＩＤ）に対応付けて勤務形態の情報が記憶部に設定される。
【００４７】
勤怠管理サーバ１の制御部は、記憶部における作業者の勤務形態の変更設定を監視しており、作業者の勤務形態が変更になったか否かを判定する（Ｓ１１）。変更になっていなければ（Ｎｏの場合）、当該判定処理を繰り返す。
【００４８】
勤務形態が変更になっていれば（Ｙｅｓの場合）、勤怠管理サーバ１の制御部は、当該作業者向けの新勤務形態の情報と作業者ＩＤをＱＲコードに変換し、ＱＲコード画像を生成する（Ｓ１２）。次に、勤怠管理サーバ１の制御部は、生成されたＱＲコード画像に当該作業者専用のアクセス情報を付与して電子メールで送信し（Ｓ１３）、処理を終了する。
【００４９】
ここで、アクセス情報とは、当該作業者の勤務予定、過去の勤怠状況を閲覧できるサイトへのアクセス情報である。このアクセス情報部分を選択すると、リンクされた作業者の勤怠関連のサイトに移行するようになっている。
【００５０】
［ＱＲコード読み取り送信処理］
次に、管理ＰＣ３におけるＱＲコード読み取り送信処理について図４、図５を参照しながら説明する。図４は、管理ＰＣにおける読み取り送信処理のフローチャートであり、図５は、管理ＰＣから送信されるデータフォーマットを示す概念図である。
管理ＰＣ３の制御部は、接続する読み取り装置４でＱＲコード画像を読み取ったか否かを判定しており（Ｓ２１）、読み取っていなければ（Ｎｏの場合）、当該判定処理を繰り返す。
【００５１】
ＱＲコード画像を読み取ったのであれば（Ｙｅｓの場合）、管理ＰＣ３の制御部は、読み取った時刻を記録する（Ｓ２２）。次に、管理ＰＣ３の制御部は、読み取ったＱＲコード画像から情報を取得する（Ｓ２３）。取得する情報としては、作業者ＩＤと勤務形態の情報（勤務形態情報）である。勤務形態情報とは、特定の勤務形態を示す識別情報となる。
【００５２】
更に、管理ＰＣ３の制御部は、取得した作業者ＩＤ、勤務形態情報及び読み取った時刻を、図５に示すデータフォーマットで勤怠管理サーバ１にインターネット２を介して送信して（Ｓ２４）、処理を終了する。
管理ＰＣ３の制御部で特定される、読み取った時刻は、インターネット２に接続する時間管理サーバから定期的に提供された時刻に基づいて調整されたものである。
【００５３】
［勤怠データ受信・記憶処理］
次に、勤怠管理サーバ１における勤怠データ受信・記憶処理について図６、図７を参照しながら説明する。図６は、勤怠管理サーバにおける勤怠データ受信・記憶処理のフローチャートであり、図７は、勤怠管理サーバにおける勤怠管理テーブルの概略図である。
勤怠管理サーバ１の制御部は、管理ＰＣ３から作業者ＩＤ、勤務形態情報、取得時刻等の情報を受信したか否か判定しており（Ｓ３１）、受信していなければ（Ｎｏの場合）、当該判定処理を繰り返す。
【００５４】
管理ＰＣ３からの情報を受信したならば（Ｙｅｓの場合）、次に、勤怠管理サーバ１の制御部は、記憶部に設定記憶されている作業者ＩＤに対応する勤務形態情報と一致するか否かを判定する（Ｓ３２）。一致していなければ（Ｎｏの場合）、勤怠管理サーバ１の制御部は、図３の処理Ｓ１２に示したようにＱＲコード画像を生成し（Ｓ３３）、図３の処理Ｓ１３に示したようにＱＲコード画像等を電子メールで送信する（Ｓ３４）。電子メールでは、読み取り装置４に読み取らせたＱＲコード画像は正しくない旨伝え、当該電子メールに添付されたＱＲコード画像で再度読み取らせるよう促すものとなっている。
【００５５】
これは、作業者が読み取り装置４に過去の古いＱＲコード画像を誤って読み取らせた可能性があるので、最新のＱＲコード画像等を送信して、そのＱＲコード画像で再度読み取りを行わせるためのものである。尚、処理Ｓ３４で、ＱＲコード画像を添付しないで、再度の読み取りを促す文面だけの電子メール送信でもよい。
【００５６】
そして、判定処理Ｓ３２で、一致していれば（Ｙｅｓの場合）、勤怠管理サーバ１の制御部は、図７に示す勤怠管理テーブルに、作業者ＩＤ及び勤務形態情報毎に時刻を記憶する（Ｓ３５）。
【００５７】
勤怠管理サーバ１の制御部には、インターネット２に接続する時間管理サーバから定期的に時刻（インターネット時刻）が提供され、当該インターネット時刻に基づいて内部時計が調整されている。読み取り装置４での読み取り時刻が、勤怠管理サーバ１での受信時刻を中心として適正な範囲内にない場合には、読み取り時刻は不適性であるとして、勤怠管理サーバ１での受信時刻を優先し、勤怠管理テーブルに設定する。これにより、管理ＰＣ３での不正な時刻変更に対処できる。
【００５８】
勤怠管理サーバ１において、作業者ＩＤと勤務形態情報で出勤、退勤の時刻を管理しているので、作業者が不規則な勤務形態であっても柔軟に対応でき、更に、作業者がＱＲコード画像を誤って読み取らせても、作業者の誤りを適正に訂正させることができ、更に、管理ＰＣ３での不正時刻変更にも対処できる。
【００５９】
［ＱＲコード画像データ再ダウンロード禁止処理］
勤怠管理サーバ１から携帯電話機５がＱＲコード画像データをダウンロードする場合に、再ダウンロードを禁止する処理について図８を参照しながら説明する。図８は、勤怠管理サーバでの再ダウンロード禁止処理のフローチャートである。
【００６０】
図８の処理を説明する前に、記憶部内にＱＲコード管理テーブルが設けられており、このＱＲコード管理テーブルは、作業者ＩＤと勤務形態情報に対応して最新のＱＲコードを記憶し、更に、当該ＱＲコードが既にダウンロードされたものか、否かを示すフラグが設けられている。ＱＲコード管理テーブルには、ＱＲコードの代わりにＱＲコードの画像データを記憶するようにしてもよい。
【００６１】
また、フラグは、ＱＲコードがダウンロードされるとオンになり、未だダウンロードされていないとオフのままとなっている。
作業者が誤ったＱＲコード画像データを読み取り装置４に読み取らせた場合に、再度ＱＲコード画像データのダウンロードを促す場合には、一度目のダウンロードによってオンとなったフラグをオフに設定することになる。
つまり、フラグオンは、ダウンロードを禁止することを示し、フラグオフは、ダウンロードを許可することを示している。
【００６２】
勤怠管理サーバ１の制御部は、携帯電話機５からＱＲコードのダウンロード要求あるか否かを判定してり（Ｓ４１）、ダウンロード要求がなければ（Ｎｏの場合）、当該判定処理Ｓ４１を繰り返す。
携帯電話機５からのＱＲコードのダウンロード要求があると（Ｙｅｓの場合）、ＱＲコード管理テーブルを参照し、要求のあった作業者ＩＤに対応するフラグを参照する（Ｓ４２）。
【００６３】
当該フラグがオン（ダウンロード禁止）であれば（Ｙｅｓの場合）、ＱＲコードのダウンロード処理はなされず、処理を終了する。
当該フラグがオフ（ダウンロード許可）であれば（Ｎｏの場合）、ＱＲコードのダウンロード処理を行い（Ｓ４３）、処理を終了する。
ＱＲコードのダウンロード処理は、携帯電話機５からのアクセスによって、ＱＲコード画像を生成し、生成したＱＲコードの画像データをダウンロードするものである。
【００６４】
これにより、２回目以降の不適切なＱＲコードのダウンロード要求は拒否されるので、作業者本人以外がなりしましてＱＲコードをダウンロードすることは不可能となる。
また、携帯電話機５でも、ＱＲコードの画像データを記憶部できないか、転送できないようになっているので、ＱＲコードの画像データを他の作業者が取得できないものである。
【００６５】
［その他の実施の形態］
上記実施の形態では、管理ＰＣ３と勤怠管理サーバ１を別々のものとしたが、両者を一体化して一つのサーバで処理するようにしてもよい。
【００６６】
また、上記実施の形態ではＱＲコード画像は、作業者の勤務形態が変更になった場合に、送信するようにしていたが、それ以外に、月に１回、週に１回、毎日１回、更に１日に数回送信するようにしてもよい。これにより、なりすまし防止が図られる。
【００６７】
１日数回の場合は、例えば、出社・退社の３０分前にＱＲコード画像を送信したり、作業者のスケジュールを勤怠管理サーバ１が管理しておき、作業者の外出予定のスケジュールに合わせてＱＲコード画像を送信することが考えられ、勤怠管理の効率化となりすまし防止を促進できる。
【００６８】
上記実施の形態では、ＱＲコード画像データを送信するようにしているが、携帯電話機５から作業者の特定サイトにアクセスして、ＱＲコード画像を閲覧・表示のみさせるようにしてもよい。
【００６９】
また、勤怠管理サーバ１から送信又はダウンロードされるＱＲコード内に当該ＱＲコードのコピーを禁止する情報を含めるようにし、携帯電話機５における記憶部に当該ＱＲコードの画像を記憶できないようにし、若しくは当該ＱＲコードの画像を転送できないようにしてもよい。
【００７０】
また、携帯電話機の通信環境が不良の場合に備えて、緊急対処用のＱＲコードを予め配布しておき、勤怠管理サーバ１からＱＲコードの画像データが届かない場合には、その緊急対処用のＱＲコードを利用できるようにしておくと便利である。
【００７１】
更に、別の実施の形態について図９を参照しながら説明する。図９は、別の実施の形態に係る勤怠管理システムの構成ブロック図である。
図９に示すシステム（別のシステム）は、図１における読み取り装置４及び管理ＰＣ３の代わりに、ＱＲコード読み取り可能な管理者用携帯電話機７が設けられている。
【００７２】
管理者用携帯電話機７は、制御部、記憶部、入力部を備え、ＱＲコードを読み込むためのカメラが設けられている。
そして、管理者用携帯電話機７は、管理ＰＣ３で実行される処理プログラムと同等の処理プログラムを勤怠管理サーバ１又は別のサーバからダウンロードして記憶部に記憶し、更に記憶部には処理に必要なデータ等を記憶して、管理ＰＣ３と同等の処理を行う。
つまり、図４で示したように、管理者用携帯電話機７は、カメラでＱＲコード画像を読み込み、時刻を記憶し、ＱＲコード画像から作業者ＩＤ、勤務形態情報を取得し、無線電話回線を通じて勤怠管理サーバ１にアクセスしてデータ送信を行う。
【００７３】
別のシステムによれば、作業現場に、読み取り装置４及び管理ＰＣ３がなくても、ＱＲコード画像を読み込んで、上記処理を行う管理者用携帯電話機７があれば、勤怠管理を容易に実現することができる。
尚、別のシステムにおいても、本システムで実現するその他あらるる処理を適用するものである。
【産業上の利用可能性】
【００７４】
本発明は、勤務形態が変更になっても作業者の勤怠管理を低コストで実現できる勤怠管理システムに好適である。
【図面の簡単な説明】
【００７５】
【図１】本発明の実施の形態に係る勤怠管理システムの構成ブロック図である。
【図２】勤怠管理サーバ及び管理ＰＣの具体的内部構成ブロック図である。
【図３】本システムのＱＲコード画像送信処理のフローチャートである。
【図４】管理ＰＣにおける読み取り送信処理のフローチャートである。
【図５】管理ＰＣから送信されるデータフォーマットを示す概念図である。
【図６】勤怠管理サーバにおける勤怠データ受信・記憶処理のフローチャートである。
【図７】勤怠管理サーバにおける勤怠管理テーブルの概略図である。
【図８】勤怠管理サーバにおける再ダウンロード禁止処理のフローチャートである。
【図９】別の実施の形態に係る勤怠管理システムの構成ブロック図である。
【符号の説明】
【００７６】
１…勤怠管理サーバ、  ２…インターネット、  ３…管理ＰＣ、  ４…読み取り装置、  ５…携帯電話機（作業者用携帯電話機）、  ６…基地局、  ７…管理者用携帯電話機、  １１…制御部、  １２…メインメモリ、  １３…記憶部、  １４…インタフェース部
【図１】
2007293834.tif 000003
【図２】
2007293834.tif 000004
【図３】
2007293834.tif 000005
【図４】
2007293834.tif 000006
【図５】
2007293834.tif 000007
【図６】
2007293834.tif 000008
【図７】
2007293834.tif 000009
【図８】
2007293834.tif 000010
【図９】
2007293834.tif 000011